(57)【要約】【課題】ユーザが簡単な操作で、複数のビデオテープに記録されたアナログ映像音声信号の全てをDVD等のデジタル記録メディア一枚に対して自動的にダビングできる映像音声信号記録再生装置を提供する。【解決手段】初めに一度だけユーザにダビングするビデオテープの本数、ダビングするビデオテープに記録されている映像音声信号の録画モードを選択させる。その後、実際にダビング動作を開始する前に、ビデオテープを始端まで巻き戻し、ビデオテープの総再生時間に対してデジタル記録メディアの空き容量に収まるように記録ビットレートを調節しデジタル記録メディアに対してダビングを開始する。ダビングが終了した時に、ビデオテープを自動的に取り出し、ユーザにビデオテープを入れ替えさせる。この操作をダビングが終了したビデオテープの本数とユーザに指定された本数が一致するまで繰り返すことで、前記課題を解決する。【選択図】図１
2006196091.tif 000002
【特許請求の範囲】
【請求項１】
映像音声信号をビデオテープに記録再生する手段と、デジタル映像音声信号をデジタル記録メディアに記録再生する手段と、複数のビデオテープに記録されている映像音声信号の未記録部分を含む全て、または記録部分全てをデジタル記録メディアにダビングする手段を備えた映像音声信号記録再生装置であって、ダビングを開始する前にダビングするビデオテープの本数と、各々のビデオテープに記録されている映像音声信号の録画モードを設定する手段を備えたことを特徴とする映像音声信号記録再生装置。
【請求項２】
各々のビデオテープのダビングを開始する前にビデオテープを始端まで巻き戻す手段を請求項１の装置に更に備えたことを特徴とする映像音声信号記録再生装置。
【請求項３】
ダビングが終了したビデオテープの本数がユーザに指定された本数よりも少ない時に、次のビデオテープの挿入を換気するGUI画面を表示する手段を請求項１及び２の装置に更に備えたことを特徴とする映像音声信号記録再生装置。
【請求項４】
ダビングする各々のビデオテープの再生時間を設定する手段を請求項１及び２及び３の装置に更に備えたことを特徴とする映像音声信号記録再生装置。
【請求項５】
複数のビデオテープに記録されている映像音声信号の記録部分全てをデジタル記録メディアにダビングする時に、最後のビデオテープのダビングを開始する前にデジタル記録メディアの空き容量に対して記録できる最高のビットレートを計算し直す手段を請求項１及び２及び３及び４の装置に更に備えたことを特徴とする映像音声信号記録再生装置。
【発明の詳細な説明】
【技術分野】
【０００１】
本発明は、映像音声信号記録再生装置、より詳細には、ビデオテープを記録媒体としてデータの記録再生を行うビデオ記録再生機能と、DVD等デジタル記録メディアを記録媒体としてデータの記録再生を行うデジタル記録再生機能とを備え、特にビデオテープの記録データを光ディスクにダビングできる映像音声信号記録再生装置に関するものである。
【背景技術】
【０００２】
図３は、ビデオ記録再生部と光ディスク記録再生部とを備える映像音声信号記録再生装置を概念的に説明するための図である。ビデオテープを記録媒体としてデータの記録再生を行うビデオ記録再生部M１と、DVD等光ディスクを媒体としてデータの記録再生を行う光ディスク記録再生部M２とを備え、ビデオテープの記録データを光ディスクにダビングできる機能を持った映像音声信号記録再生装置が提供されている。ダビングにおいては、ビデオ記録再生部M１から映像信号及び音声信号が読み出されて、光ディスク記録再生部M２に転送され、これら映像信号及び音声信号によるデジタルデータが光ディスクに記録される。
【０００３】
映像音声信号記録再生装置では、一本のビデオテープに記録されたデータを一枚の光ディスクにダビングする前に、ダビングの設定を通常行う。従来の映像音声信号記録再生装置においては、複数のビデオテープに記録されたデータを一枚の光ディスクにダビングする場合、一本のビデオテープのダビングが終了する度に、ダビングの設定を行う必要があった。
【特許文献１】特開２００４−１８５７２８号公報（第２頁、第４図）
【発明の開示】
【発明が解決しようとする課題】
【０００４】
すなわち、従来の映像音声信号記録再生装置では、複数のビデオテープに記録されたデータを一枚の光ディスクにダビングする場合、一本のビデオテープのダビングが終了する度に、ダビングの設定を行う必要があり、ユーザにとっては非常に面倒であり、使い勝手の点で問題があった。
【課題を解決するための手段】
【０００５】
本発明は、ビデオテープから読み出した記録データを、光ディスクにダビングできるようにした映像音声信号記録再生装置において、複数のビデオテープに記録されたデータを一枚の光ディスクにダビングする場合、初めにダビングの設定を行い、後はビデオテープの抜き差しだけでダビングすることを最も主要な特徴とする。
【発明の効果】
【０００６】
本発明の映像音声信号記録再生装置は、複数のビデオテープに記録されたデータを一枚の光ディスクにダビングする時に、ビデオテープ毎に煩わしい操作を必要とせずに、ビデオテープの抜き差しだけでダビングされるので、ダビングの際の操作が容易になるという利点がある。
【発明を実施するための最良の形態】
【０００７】
以下に図を用いて本発明の実施の形態を説明する。
【０００８】
（実施の形態１）
図１は、本発明の実施の形態１での映像音声信号記録再生装置の構成を示すブロック図である。
【０００９】
図１において、１はアナログ映像音声信号を記録再生することができる第１の記録媒体である１２０分ビデオテープである。
３はビデオテープ１に記録されたアナログ映像音声信号の再生及びビデオテープ１の早送り及び巻き戻しを行う再生手段であるビデオテープ駆動再生部で、ビデオテープ１を走行制御するキャプスタンやローラ、信号の記録再生を行うヘッドを備えた回転ドラム、ビデオテープ１に対してコントロール信号を記録したり記録されたコントロール信号を再生したりするコントロールヘッド、再生された映像音声信号の各種信号処理を行う信号処理回路等からなる。
【００１０】
６はビデオテープ駆動再生部３において再生された、ビデオテープ１に記録されている再生コントロール信号を検出するコントロール信号検出手段である再生コントロール検出部である。
【００１１】
７はビデオテープ駆動再生部３に対してビデオテープ１の早送り及び巻き戻しを処理するビデオテープ駆動部である。具体的には、キャプスタンやリールの駆動等に相当する。
【００１２】
８はビデオテープ駆動再生部３から、ビデオテープ１が始端と終端に位置する時を検出する始終端検出部である。
【００１３】
９はビデオテープ駆動再生部３に対してビデオテープ１の再生処理を行うビデオテープ再生部である。
【００１４】
２はデジタル映像音声信号を記録再生することができる第２の記録媒体であるデジタル記録メディアであり、本実施の形態ではDVD（Digital  Versatile  Disk）等のように、装置に対して着脱可能で、かつ信号をデジタル記録する円盤状の記録メディアを想定しているが、ハードディスク等のように固定式の記録メディアであっても良い。
【００１５】
５はデジタル記録メディア３に対して信号の書き込み及び読み出しを行うデジタル記録メディアアクセス部であり、デジタル記録メディア２を回転駆動するスピンドルモータや、信号の記録再生を行うレーザーダイオード及び光ピックアップ等から構成される。
【００１６】
１１はデジタル記録メディア２の空き容量を読み出すようにデジタル記録メディアアクセス部５に対する処理を行うデジタル記録メディア空き容量取得部である。
【００１７】
４はビデオテープ駆動再生部３によって再生されたアナログ映像音声信号をデジタル映像音声信号に変換し、デジタル記録メディアアクセス部５に出力するアナログデジタル変換部である。
【００１８】
１０はアナログデジタル変換部４に対してデジタル記録メディア２へビデオテープ駆動再生部３からのアナログ映像音声信号を任意のビットレートでデジタル映像音声信号に変換しデジタル記録メディアアクセス部５に出力させ、デジタル映像音声信号をデジタル記録メディア２に対して書き込みを行うように処理するデジタル記録部である。尚、デジタル記録部１０とデジタル記録メディアアクセス部５とで記録手段を構成している。
【００１９】
１６はユーザ入力を行うリモコン部である。図の三角ボタンは上下左右ボタンを表し、その上下左右ボタンに囲まれている丸ボタンは決定ボタンを表し、もう一方の丸ボタンはメニューボタンを表す。
【００２０】
１３は本体キーやGUI画面入力等のユーザ入力及び、表示管やGUI画面表示等のユーザに出力するユーザインタフェース部である。本実施の形態では、ユーザ入力手段としてリモコンや本体キーやGUI画面入力としたが、ユーザが入力または操作するものであればこれら以外の手段も含む。更に、ユーザ出力手段として表示管やGUI画面表示としたが、ユーザに対して通知または表示するものであれば、これら以外の手段も含む。
【００２１】
１４はデジタル記録メディア２の空き容量に対して記録できる最低のビットレートでの時間がビデオテープ記録時間よりも少ない時に、ユーザインタフェース部１３に警告表示を行いダビングの中止を行うようにユーザへ警告通知する警告発生部である。
【００２２】
１５は情報の記憶を行う記憶部である。
【００２３】
１２はユーザインタフェース部１３からダビング操作の入力を受け、再生コントロール検出部６とビデオテープ駆動部７と始終端検出部８とビデオテープ再生部９とデジタル記録部１０とデジタル記録メディア空き容量取得部１１と警告発生部１４と記憶部１５とを制御する制御手段である制御部である。
【００２４】
請求項１に示す映像音声信号をビデオテープに記録再生する手段は図１のビデオテープ駆動再生部３、再生コントロール検出部６、ビデオテープ再生部９、制御部１２に相当し、デジタル映像音声信号をデジタル記録メディアに記録再生する手段は図１のデジタル記録メディアアクセス部５、制御部１２に相当し、複数のビデオテープに記録されている映像音声信号の未記録部分を含む全て、または記録部分全てをデジタル記録メディアにダビングする手段は図１の全ての構成に相当し、ダビングを開始する前にダビングするビデオテープの本数と、各々のビデオテープに記録されている映像音声信号の録画モードを設定する手段は図１のユーザインタフェース部１３、警告発生部１４、リモコン部１６、制御部１２に相当する。請求項２に示す各々のビデオテープのダビングを開始する前にビデオテープを始端まで巻き戻す手段は図１のビデオテープ駆動再生部３、ビデオテープ駆動部７、始終端検出部８、制御部１２に相当する。請求項３に示すダビングが終了したビデオテープの本数がユーザに指定された本数よりも少ない時に、次のビデオテープの挿入を換気するGUI画面を表示する手段は図１のユーザインタフェース部１３、警告発生部１４、制御部１２に相当する。請求項４に示すダビングする各々のビデオテープの再生時間を設定する手段は図１のユーザインタフェース部１３、リモコン部１６、制御部１２に相当する。請求項５に示す複数のビデオテープに記録されている映像音声信号の記録部分全てをデジタル記録メディアにダビングする時に、最後のビデオテープのダビングを開始する前にデジタル記録メディアの空き容量に対して記録できる最高のビットレートを計算し直す手段は図１の全ての構成に相当する。
【００２５】
以下図１を用いて、ビデオテープの記録再生の手順を説明する。
【００２６】
ビデオテープの記録は、ビデオテープ駆動再生部３においてキャプスタンやローラがビデオテープ１の走行制御を行い、回転ドラムがビデオテープ１に映像音声信号を記録すると共に、コントロールヘッドがビデオテープ１にコントロール信号を記録することで行われる。ビデオテープの再生は、ビデオテープ駆動再生部３においてキャプスタンやローラがビデオテープ１の走行制御を行い、再生コントロール検出部６はビデオテープ駆動再生部３において再生されたビデオテープ１に記録されている再生コントロール信号を検出し、制御部１２は再生コントロール検出部６から再生コントロール信号を取得し、その再生コントロール信号からキャプスタンと回転ドラムの位相が記録時と同じになるようにビデオテープ再生部９を制御し、ビデオテープ１に記録された映像音声信号を読み出すことで行われる。
【００２７】
以下図１を用いて、デジタル記録メディアの記録再生の手順を説明する。
【００２８】
デジタル記録メディアの記録は、デジタル記録メディアアクセス部５においてスピンドルモータがデジタル記録メディア２の回転駆動を行い、レーザーダイオード及び光ピックアップがデジタル記録メディア２に映像音声信号を記録することで行われる。デジタル記録メディアの再生は、デジタル記録メディアアクセス部５においてスピンドルモータがデジタル記録メディア２の回転駆動を行い、レーザーダイオード及び光ピックアップがデジタル記録メディア２に記録された映像音声信号を読み出すことで行われる。
【００２９】
以上のように構成された本実施の形態について、以下図１に示すブロック図、図２に示すフローチャート、図４、図５、図６、図７、図８、図９、図１０、図１１、図１２、図１３、図１４、図１５、図１６、図１７、図１８に示すテレビ画面に映し出されるGUI画面を用いて、ビデオテープからデジタル記録メディアにダビングする実施の形態の手順を詳細に説明する。尚、本実施の形態におけるデジタル記録メディアはDVDとする。また、図４、図５に示す太枠１００はフォーカスが当たっていることを表し、図５に示す領域２００は設定項目を表す領域、領域２０１はその設定項目の変更を行うための領域であり、図６から図１６においても同様である。
【００３０】
リモコン部１６のメニューボタンが押されると図４のようなGUI画面を表示する。図４にて、リモコン部１６の上下ボタンで「ダビング」がフォーカスされ決定ボタンが押されると、一本のビデオテープと一枚のDVD間、一本のビデオテープとハードディスク間、一枚のDVDとハードディスク間でのダビングを行うためのGUI画面に遷移し、「まるごとダビング」がフォーカスされ決定ボタンが押されると、複数のビデオテープから一枚のDVDへのダビング、複数のビデオテープからハードディスクへのダビングを行うための図７のようなGUI画面に遷移する。
【００３１】
SAは、図４にて、リモコン部１６の上下ボタンで「まるごとダビング」がフォーカスされ決定ボタンが押された後の処理である。
【００３２】
SAでは、まず、ビデオテープ１がセットされているかを確認し、セットされていない場合はユーザインタフェース部１３において図５のようなGUI画面を表示する。次に、ビデオテープ１がセットされている場合はデジタル記録メディア２であるDVDがドライブにセットされているかを確認し、セットされていない場合はユーザインタフェース部１３において図６のようなGUI画面を表示する。次にDVDがセットされている場合はS１の手操作入力を行わせる（S０）。
【００３３】
次にユーザインタフェース部１３において図７のようなGUI画面を表示し、ダビング方向にフォーカスを当てる。図８のようにリモコン部１６の下ボタンで「ダビング本数」がフォーカスされている時に、右ボタンが押されると図９のようにフォーカスが右側のダビング本数選択画面に推移し、リモコン部１６の上下ボタンでフォーカスが上下され決定ボタンで決定される（S１）。
【００３４】
S１にてダビング本数として３本が選択された時、ユーザインタフェース部１３において図８のようなGUI画面を表示する（S２）。図１０のようにリモコン部１６の上下ボタンで「録画モード」がフォーカスされている時に、右ボタンが押されると図１１のようにフォーカスが右側の録画モード選択画面に推移し、リモコン部１６の上下ボタンでフォーカスが上下され決定ボタンが押されると図１２のようなGUI画面に遷移し、リモコン部１６の上下ボタンでフォーカスが上下され決定ボタンで決定される（S３）。次にリモコン部１６の下ボタンで「ダビング開始」にフォーカスが当てられ決定ボタンが押されると、デジタルメディア空き容量取得部１１においてS４の処理が行われる。
【００３５】
また、S１にてダビング本数として２本が選択された時、ユーザインタフェース部１３において図１３のようなGUI画面を表示する（S２）。図１４のようにリモコン部１６の上下ボタンで「録画モード」がフォーカスされている時に、右ボタンが押されると図１５のようにフォーカスが右側の録画モード選択画面に推移し、リモコン部１６の上下ボタンでフォーカスが上下され決定ボタンが押されると図１６のようなGUI画面に遷移し、リモコン部１６の上下ボタンでフォーカスが上下され決定ボタンで決定される（S３）。次にリモコン部１６の下ボタンで「ダビング開始」にフォーカスが当てられ決定ボタンが押されると、デジタルメディア空き容量取得部１１においてS４の処理が行われる。
【００３６】
次にデジタル記録メディア空き容量取得部１１においてDVDの空き容量を取得し（S４）、空き容量に対して記録できる最低のビットレートでの時間がビデオテープ１の再生時間とビデオテープの本数の積による時間よりも少ない時ダビング不可と判断し次にS１５の処理を行う。また、そうでなかった場合はダビング可能と判断し次にS６の処理を行う（S５）。
【００３７】
S５にてダビング不可と判断された時、警告発生部１４において警告を発生し、ユーザインタフェース部１３において図１７のような警告画面を表示し（S１５）自動ダビング処理を終了する。
【００３８】
また、S５にてダビング可能と判断された時、ビデオテープ駆動部７においてビデオテープ１の巻き戻しを行い（S７）、始端が検出されるのを待つ（S８）。
【００３９】
始終端検出部８において始端が検出されたら（S８）、ビデオテープ１を停止させる（S９）。
【００４０】
次にビデオテープ駆動再生部３においてビデオテープ１を再生し、そのアナログ映像音声信号をアナログデジタル変換部４へ出力し、アナログデジタル変換部４においてアナログ映像音声信号をデジタル映像音声信号に変換し、そのデジタル映像音声信号をデジタル記録メディアアクセス部５へ出力し、デジタル記録メディアアクセス部５においてDVDの空き容量に記録できる最高のビットレートでDVDの記録を開始し（S１０）、ビデオテープの終端まで到達するのを待つ（S１１）。
【００４１】
S１１にて終端が検出されたら、ビデオテープとDVDを停止させる（S１２）。
【００４２】
次にダビングが終了したビデオテープの本数がユーザに指定された本数よりも少ない時は次にS１４の処理を行い、ダビングが終了したビデオテープの本数がユーザに指定された本数と一致した場合は自動ダビング処理を終了する（S１３）。
【００４３】
S１３にてダビングが終了したビデオテープの本数がユーザに指定された本数よりも少ないと判断された時、ビデオテープ１を自動で取り出し（S１４）、ユーザインタフェース部１３において図１８のようなGUI画面を表示し次のビデオテープがセットされるのを待つ（S６）。
【００４４】
上記にて説明したように、簡単なユーザ操作で複数のビデオテープに記録されているアナログ映像音声信号の全て（未記録部分も含む）を、一枚のDVDにダビングを行う映像音声信号記録再生装置を得ることができる。上記説明ではダビングするビデオテープの再生時間を１２０分としているが、それ以上でも構わない。また、上記説明ではダビングする複数のビデオテープの再生時間を全て同一としているが、ダビングする各々のビデオテープの再生時間をユーザに選択させる項目を増やしても構わない。また、上記説明ではダビングするビデオテープの本数の最大値を３としているが、４以上であっても構わない。また、上記説明では録画モードの最大値を3倍としているが、５倍以上であっても構わない。また、上記説明では未記録部分も含む全てをダビングする場合について説明したが、記録部分だけをダビングしても構わない。また、記録部分だけをダビングする場合、最後のビデオテープをDVDの空き容量に対して記録できる最高のビットレートを計算し直してダビングしても構わない。
【産業上の利用可能性】
【００４５】
本発明にかかる映像音声信号記録再生装置は、複数の記録媒体のダビング（複製）に関するものであり、上記説明ではビデオテープからDVDへのダビングについて説明したが、他の組み合わせであっても構わない。
【図面の簡単な説明】
【００４６】
【図１】本発明の実施の形態１に於ける映像音声信号記録再生装置の構成を示したブロック図
【図２】同実施の形態に於けるビデオテープからDVDへのダビングの動作を示すフローチャート
【図３】ビデオ記録再生部と光ディスク記録再生部とを備える映像音声信号記録再生装置を概念的に説明するための図
【図４】同実施の形態に於けるメニュー画面を示す模式図
【図５】同実施の形態に於けるビデオテープ未挿入時のGUI画面を示す模式図
【図６】同実施の形態に於けるDVD未挿入時のGUI画面を示す模式図
【図７】同実施の形態に於けるダビング方向選択時のGUI画面を示す模式図
【図８】同実施の形態に於けるダビング本数３本選択時のGUI画面を示す模式図
【図９】同実施の形態に於けるダビング本数選択時のGUI画面を示す模式図
【図１０】同実施の形態に於ける録画モード選択時のGUI画面を示す模式図
【図１１】同実施の形態に於ける録画モード選択時のGUI画面を示す模式図
【図１２】同実施の形態に於ける録画モード選択時のGUI画面を示す模式図
【図１３】同実施の形態に於けるダビング本数２本選択時のGUI画面を示す模式図
【図１４】同実施の形態に於ける録画モード選択時のGUI画面を示す模式図
【図１５】同実施の形態に於ける録画モード選択時のGUI画面を示す模式図
【図１６】同実施の形態に於ける録画モード選択時のGUI画面を示す模式図
【図１７】同実施の形態に於けるデジタル記録メディア空き容量不足時の警告画面を示す模式図
【図１８】同実施の形態に於けるビデオテープ未挿入時のGUI画面を示す模式図
【符号の説明】
【００４７】
１    ビデオテープ
２    デジタル記録メディア
３    ビデオテープ駆動再生部
４    アナログデジタル変換部
５    デジタル記録メディアアクセス部
６    再生コントロール検出部
７    ビデオテープ駆動部
８    始終端検出部
９    ビデオテープ再生部
１０    デジタル記録部
１１    デジタル記録メディア空き容量取得部
１２    制御部
１３    ユーザインタフェース部
１４    警告発生部
１５    記憶部
１６    リモコン部
【図１】
2006196091.tif 000003
【図２】
2006196091.tif 000004
【図３】
2006196091.tif 000005
【図４】
2006196091.tif 000006
【図５】
2006196091.tif 000007
【図６】
2006196091.tif 000008
【図７】
2006196091.tif 000009
【図８】
2006196091.tif 000010
【図９】
2006196091.tif 000011
【図１０】
2006196091.tif 000012
【図１１】
2006196091.tif 000013
【図１２】
2006196091.tif 000014
【図１３】
2006196091.tif 000015
【図１４】
2006196091.tif 000016
【図１５】
2006196091.tif 000017
【図１６】
2006196091.tif 000018
【図１７】
2006196091.tif 000019
【図１８】
2006196091.tif 000020